(57)【要約】【課題】番組と広告からなる広告付加番組が録画される場合において、ユーザが、その広告付加番組に含まれる広告の情報を知ることができる。【解決手段】読出部７１は、広告付加番組データを読み出し、抽出部７２は、その広告付加番組データから、広告のデータである広告データを抽出する。作成部７５は、広告データを用いて、広告のサムネイル画像である広告サムネイル画像のデータを作成する。出力制御部７８は、広告サムネイル画像のデータに基づいて、広告サムネイル画像を表示させる。読出部７１は、広告サムネイル画像の選択を受け付けた場合、その広告サムネイル画像に対応する再生位置から、広告付加番組データを読み出す。出力制御部７８は、広告付加番組データに基づいて、広告付加番組を表示させる。本発明は、例えば、録画装置に適用することができる。【選択図】図２
2008172498.tif 000002
【特許請求の範囲】
【請求項１】
番組と広告からなる広告付加番組のデータである広告付加番組データを記録する記録媒体から、前記広告付加番組データを再生する再生装置において、
前記記録媒体から前記広告付加番組データを読み出す読出手段と、
読み出された前記広告付加番組データから、前記広告のデータである広告データを抽出する抽出手段と、
抽出された前記広告データを用いて、前記広告のサムネイル画像である広告サムネイル画像のデータを作成する作成手段と、
作成された前記広告サムネイル画像のデータに基づいて、前記広告サムネイル画像を表示させる表示制御手段と
を備え、
前記読出手段は、前記広告サムネイル画像の選択を受け付けた場合、その広告サムネイル画像に対応する再生位置から、前記広告付加番組データを読み出し、
前記表示制御手段は、読み出された前記広告付加番組データに基づいて、前記広告付加番組を表示させる
再生装置。
【請求項２】
前記作成手段は、前記広告付加番組データを用いて、前記広告付加番組のサムネイル画像である広告付加番組サムネイル画像のデータを作成し、
前記表示制御手段は、前記広告付加番組データと前記広告付加番組サムネイル画像のデータとに基づいて、前記広告付加番組とともに、前記広告付加番組サムネイル画像を表示させる
請求項１に記載の再生装置。
【請求項３】
前記作成手段は、前記広告付加番組データを用いて、シーンごとに前記広告付加番組サムネイル画像のデータを作成し、
前記表示制御手段は、前記広告付加番組データと前記広告付加番組サムネイル画像のデータとに基づいて、前記広告付加番組とともに、前記広告付加番組サムネイル画像を再生時刻の早い順から等間隔に並べて表示させる
請求項２に記載の再生装置。
【請求項４】
番組と広告からなる広告付加番組のデータである広告付加番組データを記録する記録媒体から、前記広告付加番組データを再生する再生装置の再生方法において、
前記記録媒体から前記広告付加番組データを読み出し、
読み出された前記広告付加番組データから、前記広告のデータである広告データを抽出し、
抽出された前記広告データを用いて、前記広告のサムネイル画像である広告サムネイル画像のデータを作成し、
作成された前記広告サムネイル画像のデータに基づいて、前記広告サムネイル画像を表示させ、
前記広告サムネイル画像の選択を受け付けた場合、その広告サムネイル画像に対応する再生位置から、前記広告付加番組データを読み出し、
読み出された前記広告付加番組データに基づいて、前記広告付加番組を表示させる
ステップを含む再生方法。
【請求項５】
番組と広告からなる広告付加番組のデータである広告付加番組データを記録する記録媒体から、前記広告付加番組データを再生する再生処理を、コンピュータに行わせるプログラムにおいて、
前記記録媒体から前記広告付加番組データを読み出し、
読み出された前記広告付加番組データから、前記広告のデータである広告データを抽出し、
抽出された前記広告データを用いて、前記広告のサムネイル画像である広告サムネイル画像のデータを作成し、
作成された前記広告サムネイル画像のデータに基づいて、広告サムネイル画像を表示させ、
前記広告サムネイル画像の選択を受け付けた場合、その広告サムネイル画像に対応する再生位置から、前記広告付加番組データを読み出し、
読み出された前記広告付加番組データに基づいて、前記広告付加番組を表示させる
ステップを含む再生処理をコンピュータに行わせるプログラム。
【請求項６】
番組と広告からなる広告付加番組のデータである広告付加番組データを記録する記録媒体から、前記広告付加番組データを再生する再生装置において、
前記記録媒体から前記広告付加番組データを読み出す読出手段と、
読み出された前記広告付加番組データから、前記広告のデータである広告データを抽出する抽出手段と、
抽出された前記広告データを用いて、前記広告のサムネイル画像である広告サムネイル画像のデータを作成する作成手段と、
前記広告データに基づいて、前記広告の対象のジャンルを含む広告情報を取得する取得手段と、
前記広告情報と前記広告サムネイル画像のデータに基づいて、前記ジャンルごとに前記広告サムネイル画像を表示させる表示制御手段と
を備える再生装置。
【請求項７】
前記読出手段は、前記広告サムネイル画像の選択を受け付けた場合、その広告サムネイル画像に対応するジャンルの広告データを読み出し、
前記表示制御手段は、読み出された前記広告データに基づいて前記広告を表示させる
請求項６に記載の再生装置。
【請求項８】
前記広告情報には、前記広告の対象となる商品の情報も含まれており、
前記表示制御手段は、前記広告情報を表示させる
請求項６に記載の再生装置。
【請求項９】
番組と広告からなる広告付加番組のデータである広告付加番組データを記録する記録媒体から、前記広告付加番組データを再生する再生装置の再生方法において、
前記記録媒体から前記広告付加番組データを読み出し、
読み出された前記広告付加番組データから、前記広告のデータである広告データを抽出し、
抽出された前記広告データを用いて、前記広告のサムネイル画像である広告サムネイル画像のデータを作成し、
前記広告データに基づいて、前記広告の対象のジャンルを含む広告情報を取得し、
前記広告情報と前記広告サムネイル画像のデータに基づいて、前記ジャンルごとに前記広告サムネイル画像を表示させる
ステップを含む再生方法。
【請求項１０】
番組と広告からなる広告付加番組のデータである広告付加番組データを記録する記録媒体から、前記広告付加番組データを再生する再生処理を、コンピュータに行わせるプログラムにおいて、
前記記録媒体から前記広告付加番組データを読み出し、
読み出された前記広告付加番組データから、前記広告のデータである広告データを抽出し、
抽出された前記広告データを用いて、前記広告のサムネイル画像である広告サムネイル画像のデータを作成し、
前記広告データに基づいて、前記広告の対象のジャンルを含む広告情報を取得し、
前記広告情報と前記広告サムネイル画像のデータに基づいて、前記ジャンルごとに前記広告サムネイル画像を表示させる
ステップを含む再生処理をコンピュータに行わせるプログラム。
【発明の詳細な説明】
【技術分野】
【０００１】
本発明は、再生装置および再生方法、並びにプログラムに関し、特に、番組と広告からなる広告付加番組が録画される場合において、ユーザが、その広告付加番組に含まれる広告の情報を知ることができるようにした再生装置および再生方法、並びにプログラムに関する。
【背景技術】
【０００２】
近年、録画装置においては、ハードディスク等の記録媒体の大容量化に伴い、テレビ放送の番組を大量に録画することが可能となっている。そのため、再生時には、ユーザが再生対象とする番組を選択しやすいように、録画された番組の情報を表示させることが求められている。
【０００３】
そこで、従来の録画装置では、例えば、録画した番組の中から、各シーンの切り替わりを検出し、その検出位置の画像のサムネイル画像を作成して一覧表示させている(例えば、特許文献１参照)。
【０００４】
【特許文献１】特開２００１−１８６４２３号公報
【発明の開示】
【発明が解決しようとする課題】
【０００５】
また、番組の放送中に放送される広告（CM（commercial））は、視聴者にインパクトを与えるように製作されているため、視聴者にとって興味深いものであることが多い。従って、録画された番組と同様に、その番組の放送中に放送される広告の情報を知りたいというユーザの要望があった。
【０００６】
本発明は、このような状況に鑑みてなされたものであり、番組と広告からなる広告付加番組が録画される場合において、ユーザが、その広告付加番組に含まれる広告の情報を知ることができるようにするものである。
【課題を解決するための手段】
【０００７】
本発明の第１の側面の再生装置は、番組と広告からなる広告付加番組のデータである広告付加番組データを記録する記録媒体から、前記広告付加番組データを再生する再生装置において、前記記録媒体から前記広告付加番組データを読み出す読出手段と、読み出された前記広告付加番組データから、前記広告のデータである広告データを抽出する抽出手段と、抽出された前記広告データを用いて、前記広告のサムネイル画像である広告サムネイル画像のデータを作成する作成手段と、作成された前記広告サムネイル画像のデータに基づいて、前記広告サムネイル画像を表示させる表示制御手段とを備え、前記読出手段は、前記広告サムネイル画像の選択を受け付けた場合、その広告サムネイル画像に対応する再生位置から、前記広告付加番組データを読み出し、前記表示制御手段は、読み出された前記広告付加番組データに基づいて、前記広告付加番組を表示させる。
【０００８】
前記作成手段は、前記広告付加番組データを用いて、前記広告付加番組のサムネイル画像である広告付加番組サムネイル画像のデータを作成し、前記表示制御手段は、前記広告付加番組データと前記広告付加番組サムネイル画像のデータとに基づいて、前記広告付加番組とともに、前記広告付加番組サムネイル画像を表示させることができる。
【０００９】
前記作成手段は、前記広告付加番組データを用いて、シーンごとに前記広告付加番組サムネイル画像のデータを作成し、前記表示制御手段は、前記広告付加番組データと前記広告付加番組サムネイル画像のデータとに基づいて、前記広告付加番組とともに、前記広告付加番組サムネイル画像を再生時刻の早い順から等間隔に並べて表示させることができる。
【００１０】
本発明の第１の側面の再生方法は、番組と広告からなる広告付加番組のデータである広告付加番組データを記録する記録媒体から、前記広告付加番組データを再生する再生装置の再生方法において、前記記録媒体から前記広告付加番組データを読み出し、読み出された前記広告付加番組データから、前記広告のデータである広告データを抽出し、抽出された前記広告データを用いて、前記広告のサムネイル画像である広告サムネイル画像のデータを作成し、作成された前記広告サムネイル画像のデータに基づいて、前記広告サムネイル画像を表示させ、前記広告サムネイル画像の選択を受け付けた場合、その広告サムネイル画像に対応する再生位置から、前記広告付加番組データを読み出し、読み出された前記広告付加番組データに基づいて、前記広告付加番組を表示させるステップを含む。
【００１１】
本発明の第１の側面のプログラムは、番組と広告からなる広告付加番組のデータである広告付加番組データを記録する記録媒体から、前記広告付加番組データを再生する再生処理を、コンピュータに行わせるプログラムにおいて、前記記録媒体から前記広告付加番組データを読み出し、読み出された前記広告付加番組データから、前記広告のデータである広告データを抽出し、抽出された前記広告データを用いて、前記広告のサムネイル画像である広告サムネイル画像のデータを作成し、作成された前記広告サムネイル画像のデータに基づいて、広告サムネイル画像を表示させ、前記広告サムネイル画像の選択を受け付けた場合、その広告サムネイル画像に対応する再生位置から、前記広告付加番組データを読み出し、読み出された前記広告付加番組データに基づいて、前記広告付加番組を表示させるステップを含む再生処理をコンピュータに行わせる。
【００１２】
本発明の第２の側面の再生装置は、番組と広告からなる広告付加番組のデータである広告付加番組データを記録する記録媒体から、前記広告付加番組データを再生する再生装置において、前記記録媒体から前記広告付加番組データを読み出す読出手段と、読み出された前記広告付加番組データから、前記広告のデータである広告データを抽出する抽出手段と、抽出された前記広告データを用いて、前記広告のサムネイル画像である広告サムネイル画像のデータを作成する作成手段と、前記広告データに基づいて、前記広告の対象のジャンルを含む広告情報を取得する取得手段と、前記広告情報と前記広告サムネイル画像のデータに基づいて、前記ジャンルごとに前記広告サムネイル画像を表示させる表示制御手段とを備える。
【００１３】
前記読出手段は、前記広告サムネイル画像の選択を受け付けた場合、その広告サムネイル画像に対応するジャンルの広告データを読み出し、前記表示制御手段は、読み出された前記広告データに基づいて前記広告を表示させることができる。
【００１４】
前記広告情報には、前記広告の対象となる商品の情報も含まれており、前記表示制御手段は、前記広告情報を表示させることができる。
【００１５】
本発明の第２の側面の再生方法は、番組と広告からなる広告付加番組のデータである広告付加番組データを記録する記録媒体から、前記広告付加番組データを再生する再生装置の再生方法において、前記記録媒体から前記広告付加番組データを読み出し、読み出された前記広告付加番組データから、前記広告のデータである広告データを抽出し、抽出された前記広告データを用いて、前記広告のサムネイル画像である広告サムネイル画像のデータを作成し、前記広告データに基づいて、前記広告の対象のジャンルを含む広告情報を取得し、前記広告情報と前記広告サムネイル画像のデータに基づいて、前記ジャンルごとに前記広告サムネイル画像を表示させるステップを含む。
【００１６】
本発明の第２の側面のプログラムは、番組と広告からなる広告付加番組のデータである広告付加番組データを記録する記録媒体から、前記広告付加番組データを再生する再生処理を、コンピュータに行わせるプログラムにおいて、前記記録媒体から前記広告付加番組データを読み出し、読み出された前記広告付加番組データから、前記広告のデータである広告データを抽出し、抽出された前記広告データを用いて、前記広告のサムネイル画像である広告サムネイル画像のデータを作成し、前記広告データに基づいて、前記広告の対象のジャンルを含む広告情報を取得し、前記広告情報と前記広告サムネイル画像のデータに基づいて、前記ジャンルごとに前記広告サムネイル画像を表示させるステップを含む再生処理をコンピュータに行わせる。
【００１７】
本発明の第１の側面においては、番組と広告からなる広告付加番組のデータである広告付加番組データを記録する記録媒体から、広告付加番組データが読み出され、その広告付加番組データから、広告のデータである広告データが抽出され、その広告データを用いて、広告のサムネイル画像である広告サムネイル画像のデータが作成され、その広告サムネイル画像のデータに基づいて、広告サムネイル画像が表示され、広告サムネイル画像の選択を受け付けた場合、その広告サムネイル画像に対応する再生位置から、広告付加番組データが読み出され、その広告付加番組データに基づいて、広告付加番組が表示される。
【００１８】
本発明の第２の側面においては、番組と広告からなる広告付加番組のデータである広告付加番組データを記録する記録媒体から、広告付加番組データが読み出され、その広告付加番組データから、広告のデータである広告データが抽出され、その広告データを用いて、広告のサムネイル画像である広告サムネイル画像のデータが作成され、広告データに基づいて、広告の対象のジャンルを含む広告情報が取得され、広告情報と広告サムネイル画像のデータに基づいて、ジャンルごとに広告サムネイル画像が表示される。
【００１９】
再生装置は、独立した装置であっても良いし、記録再生装置の再生処理を行うブロックであっても良い。
【発明の効果】
【００２０】
以上のように、本発明の第１の側面および第２の側面によれば、録画された番組を再生することができる。また、本発明の第１の側面および第２の側面によれば、番組と広告からなる広告付加番組が録画される場合において、ユーザが、その広告付加番組に含まれる広告の情報を知ることができる。
【発明を実施するための最良の形態】
【００２１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
本発明の第１の側面の再生装置は、
番組と広告からなる広告付加番組のデータである広告付加番組データを記録する記録媒体（例えば、図１の記録部４０）から、前記広告付加番組データを再生する再生装置（例えば、図１の記録再生装置１１）において、
前記記録媒体から前記広告付加番組データを読み出す読出手段（例えば、図２の読出部７１）と、
読み出された前記広告付加番組データから、前記広告のデータである広告データを抽出する抽出手段（例えば、図２の抽出部７２）と、
抽出された前記広告データを用いて、前記広告のサムネイル画像である広告サムネイル画像のデータを作成する作成手段（例えば、図２の作成部７５）と、
作成された前記広告サムネイル画像のデータに基づいて、前記広告サムネイル画像を表示させる表示制御手段（例えば、図２の出力制御部７８）と
を備え、
前記読出手段は、前記広告サムネイル画像の選択を受け付けた場合、その広告サムネイル画像に対応する再生位置から、前記広告付加番組データを読み出し、
前記表示制御手段は、読み出された前記広告付加番組データに基づいて、前記広告付加番組を表示させる。
【００２３】
本発明の第１の側面の再生方法は、
番組と広告からなる広告付加番組のデータである広告付加番組データを記録する記録媒体（例えば、図１の記録部４０）から、前記広告付加番組データを再生する再生装置（例えば、図１の記録再生装置１１）の再生方法において、
前記記録媒体から前記広告付加番組データを読み出し（例えば、図１６のステップＳ１０）、
読み出された前記広告付加番組データから、前記広告のデータである広告データを抽出し（例えば、図１６のステップＳ１３）、
抽出された前記広告データを用いて、前記広告のサムネイル画像である広告サムネイル画像のデータを作成し（例えば、図１６のステップＳ１４）、
作成された前記広告サムネイル画像のデータに基づいて、前記広告サムネイル画像を表示させ（例えば、図１７のステップＳ３７）、
前記広告サムネイル画像の選択を受け付けた場合、その広告サムネイル画像に対応する再生位置から、前記広告付加番組データを読み出し（例えば、図１８のステップＳ４０）、
読み出された前記広告付加番組データに基づいて、前記広告付加番組を表示させる（例えば、図１８のステップＳ４２）
ステップを含む。
【００２４】
本発明の第２の側面の再生装置は、
番組と広告からなる広告付加番組のデータである広告付加番組データを記録する記録媒体（例えば、図１の記録部４０）から、前記広告付加番組データを再生する再生装置（例えば、図１の記録再生装置１１）において、
前記記録媒体から前記広告付加番組データを読み出す読出手段（例えば、図２の読出部７１）と、
読み出された前記広告付加番組データから、前記広告のデータである広告データを抽出する抽出手段（例えば、図２の抽出部７２）と、
抽出された前記広告データを用いて、前記広告のサムネイル画像である広告サムネイル画像のデータを作成する作成手段（例えば、図２の作成部７５）と、
前記広告データに基づいて、前記広告の対象のジャンルを含む広告情報を取得する取得手段（例えば、図２の受信制御部７７）と、
前記広告情報と前記広告サムネイル画像のデータに基づいて、前記ジャンルごとに前記広告サムネイル画像を表示させる表示制御手段（例えば、図２の出力制御部７８）と
を備える。
【００２５】
本発明の第２の側面の再生方法は、
番組と広告からなる広告付加番組のデータである広告付加番組データを記録する記録媒体（例えば、図１の記録部４０）から、前記広告付加番組データを再生する再生装置（例えば、図１の記録再生装置１１）の再生方法において、
前記記録媒体から前記広告付加番組データを読み出し（例えば、図１６のステップＳ１０）、
読み出された前記広告付加番組データから、前記広告のデータである広告データを抽出し（例えば、図１６のステップＳ１３）、
抽出された前記広告データを用いて、前記広告のサムネイル画像である広告サムネイル画像のデータを作成し（例えば、図１６のステップＳ１４）、
前記広告データに基づいて、前記広告の対象のジャンルを含む広告情報を取得し（例えば、図１６のステップＳ１６）、
前記広告情報と前記広告サムネイル画像のデータに基づいて、前記ジャンルごとに前記広告サムネイル画像を表示させる（例えば、図１９のステップＳ６２）
ステップを含む。
【００２６】
以下、本発明を適用した具体的な実施の形態について、図面を参照しながら詳細に説明する。
【００２７】
図１は、本発明を適用した記録再生装置１１の一実施の形態の構成例を示すブロック図である。
【００２８】
図１の記録再生装置１１では、チューナ３１、CODEC（Coder Decoder）３２、信号処理部３３、ディスプレイ３４、スピーカ３５、制御部３７、操作入力部３８、通信部３９、記録部４０、並びにドライブ４１が、バス３６を介して互いに接続されており、記録再生装置１１は、広告付加番組（の画像や音声）のデジタル信号の電波を受信し、その広告付加番組の画像や音声を出力する。
【００２９】
チューナ３１は、制御部３７の制御により、図示せぬ放送局から放射される、広告付加番組と、広告付加番組に関する情報である番組情報のデジタル信号の電波であるデジタル放送信号を受信し、そのデジタル放送信号を復調する。ここで、番組情報とは、例えば、広告付加番組の番組名、放送内容、放送日時、放送チャンネルなどの情報である。
【００３０】
チューナ３１は、復調の結果得られる広告付加番組の画像データと音声データ（以下、広告付加番組データという）をCODEC３２に供給して復号させた後記録部４０に記録させるか、またはバス３６を介して制御部３７に供給してそのまま記録部４０に記録させる。また、チューナ３１は、復調の結果得られる番組情報を、バス３６を介して、制御部３７に供給する。
【００３１】
CODEC３２は、チューナ３１により受信されたか、または、記録部４０から読み出された広告付加番組データ（符号化されている広告付加番組データ）を、MPEG2(Moving Picture Experts Group phase 2)などの所定の方式で復号し、信号処理部３３または制御部３７に供給する。
【００３２】
信号処理部３３は、CODEC３４から供給される広告付加番組データに対して、例えば、広告付加番組データをコンポジット信号などの信号に変換するデータ方式の変換処理、D/A（Digital/Analog）変換処理などの所定の処理を施し、広告付加番組データのうちの画像データを、ディスプレイ３４に供給するとともに、音声データをスピーカ３５に供給する。
【００３３】
また、信号処理部３３は、制御部３７から供給される各種の画面を表示するための画像データに対して、例えば、データ方式の変換処理、D/A変換処理などの処理を施し、ディスプレイ３４に供給する。
【００３４】
ディスプレイ３４は、信号処理部３３からの画像データに対応する画像を表示する。スピーカ３５は、信号処理部３３からの音声データに対応する音声を出力する。
【００３５】
制御部３７は、例えば、CPU(Central Processing Unit)、ROM(Read Only Memory)、RAM（Random Access Memory）などから構成される組み込み型のマイクロコンピュータにより構成され、記録部４０にインストールされたプログラムを実行することにより、操作入力部３８から入力される、ユーザの操作を表す操作信号などに対応して、各種の処理を行う。
【００３６】
例えば、制御部３７は、チューナ３１から供給される番組情報を保持する。また、制御部３７は、操作信号に対応して、チューナ３１から供給される符号化されている広告付加データ、または、CODEC３２から供給される復号された広告付加番組データを、対応する番組情報とともに、バス３６を介して記録部４０に供給し、記録させる。
【００３７】
さらに、制御部３７は、操作信号に応じて、記録部４０から供給される、符号化されている広告付加番組データを取得し、バス３６を介してCODEC３２に供給する。また、制御部３７は、CODEC３２または記録部４０から供給される、復号された広告付加番組データから、広告の画像データと音声データ(以下、広告データという)を抽出し、その広告データを通信部３９を介して、図示せぬ外部の提供サーバに送信する。さらに、制御部３７は、その広告データに対応して外部の提供サーバから送信されてくる、広告に関する情報である広告情報を受信し、バス３６を介して記録部４０に記録させる。
【００３８】
なお、広告情報とは、広告対象の属するジャンルとサブジャンル、広告に用いられたものの情報、広告対象に関する情報（例えば、広告対象名、広告対象のWEB（World Wide Web）ページのURL（Uniform Resource Locator）など）、広告主に関する情報（例えば、広告主名、広告主のWEBページのURL）、広告のタイトルなどである。なお、サブジャンルとは、ジャンルの中のさらに詳細な分類（ジャンル）である。
【００３９】
また、制御部３７は、通信部３９によりダウンロードされたプログラムや、ドライブ４１に装着された磁気ディスク、光ディスク、光磁気ディスク、あるいは半導体メモリなどのリムーバブルメディア４２に記録されたプログラムを必要に応じて、記録部４０にインストールする。
【００４０】
操作入力部３８は、例えば、図示せぬリモートコントローラから送信されてくる指令を受信する受信部、ボタン、キーボード、マウス、スイッチなどから構成され、ユーザの操作を表す操作信号を、バス３６を介して制御部３７に供給する。
【００４１】
通信部３９は、図示せぬ提供サーバと、インターネットなどのネットワークを介して、各種のデータの送受信を行う。例えば、通信部３９は、制御部３７から供給される広告データをネットワークを介して、図示せぬ提供サーバに送信する。この提供サーバには、広告データと、広告情報が対応付けて記憶されている。提供サーバは、通信部３９から送信されてくる広告データと、記憶している広告データとのマッチングを行い、マッチングした広告データに対応する広告情報を、通信部３９に送信する。通信部３９は、図示せぬ提供サーバから広告情報を受信し、制御部３７に供給する。
【００４２】
また、通信部３９は、例えば、図示せぬ装置からネットワークを介して所定のプログラムをダウンロードし、制御部３７に供給する。
【００４３】
記録部４０は、例えば、ハードディスクなどにより構成され、制御部３７からバス３６を介して供給される広告付加番組データと番組情報を対応付けて記録する。記録部４０は、制御部３７から供給される広告情報を記録する。また、記録部４０は、必要に応じて、制御部３７（のCPU）が実行するプログラムを記録する。さらに、記録部４０は、制御部３７の制御により、記録している広告付加番組データ、番組情報、広告情報などを制御部３７に供給する。
【００４４】
ドライブ４１には、必要に応じて、リムーバブルメディア４２が装着される。ドライブ４１は、リムーバブルメディア４２を駆動して、そこに記録されているプログラムやデータなどを読み出し、バス３６を介して制御部３７に供給する。
【００４５】
図１の記録再生装置１１において、制御部３７は、所定のプログラムを実行することにより、広告付加番組データを再生する再生処理部として機能する。
【００４６】
図２は、そのような再生処理部の機能的な構成例を示している。
【００４７】
図２の再生処理部７０は、読出部７１、抽出部７２、記録制御部７３、検索部７４、作成部７５、送信制御部７６、受信制御部７７、および出力制御部７８により構成される。なお、各部は、必要に応じて相互にデータを授受することが可能とされている。
【００４８】
読出部７１は、図１の記録部４０に記録されている広告付加番組データと、対応する番組情報を読み出す。読出部７１は、広告付加番組データを抽出部７２と作成部７５に供給し、番組情報を記録制御部７３に供給する。また、読出部７１は、検索部７４から供給される、広告の画像データと音声データ（以下、広告データという）の、広告付加番組データ上の開始位置と終了位置を表す区間情報に基づいて、記録部４０から広告付加番組データと、広告付加番組の各シーンのサムネイル画像のデータ（以下、広告付加番組サムネイルデータという）とを読み出し、出力制御部７８に供給する。
【００４９】
抽出部７２は、読出部７１から供給される広告付加番組データから、広告データを抽出する。例えば、抽出部７２は、広告付加番組データから、所定の長さの無音区間を検出し、その無音区間に挟まれた区間の音声データと、対応する画像データを、広告データとして抽出する。抽出部７２は、抽出した広告データを作成部７５と送信制御部７６に供給する。また、抽出部７２は、抽出した広告データの区間情報を記録制御部７３に供給する。
【００５０】
記録制御部７３は、読出部７１から供給される番組情報、抽出部７２から供給される区間情報、および受信制御部７７から供給される広告情報を対応付けた広告管理情報を作成する。
記録制御部７３は、広告管理情報と、作成部７５から供給される広告のサムネイル画像のデータ（以下、広告サムネイルデータ）を対応付けて、記録部４０（図１）に記録させる。また、記録制御部７３は、作成部７５から供給される広告付加番組サムネイルデータを、その基となる広告付加番組データに対応付けて記録部４０に記録させる。
【００５１】
検索部７４は、図１の操作入力部３８から入力される操作信号に応じて、記録部４０に記録されている広告管理情報から、所望の番組情報、区間情報、または広告情報を検索する。検索部７４は、検索した番組情報または広告情報を記録部４０から読み出して、出力制御部７８に供給し、区間情報を読出部７１に供給する。また、検索部７４は、記録部４０から所望の広告サムネイルデータを検索し、出力制御部７８に供給する。
【００５２】
作成部７５は、読出部７１から供給される広告付加番組データに基づいて広告付加番組サムネイルデータを作成する。また、作成部７５は、抽出部７２から供給される広告データに基づいて、広告サムネイルデータを作成する。作成部７５は、作成した広告付加番組サムネイルデータと広告サムネイルデータを、記録制御部７３に供給する。
【００５３】
送信制御部７６は、抽出部７２から供給される広告データを、通信部３９を介して図示せぬ提供サーバに送信する。受信制御部７７は、送信制御部７６から送信された広告データに対応して、提供サーバから送信されてくる広告情報を受信する。受信制御部７７は、その広告情報を記録制御部７３に供給する。
【００５４】
出力制御部７８は、各種の画面を表示させる。例えば、出力制御部７８は、読出部７１から供給される広告付加番組データと広告付加番組サムネイルデータとに基づいて、広告付加番組の画像とサムネイル画像を画面として、ディスプレイ３４に表示させるとともに、広告付加番組の音声をスピーカ３５から出力させる。
【００５５】
また、出力制御部７８は、検索部７４から供給される番組情報または広告情報に基づいて、番組情報または広告情報を画面としてディスプレイ３４に表示させたり、検索部７４から供給される広告サムネイルデータに基づいて広告のサムネイル画像を画面としてディスプレイ３４に表示させる。
【００５６】
次に、図３乃至図１５を参照して、図１の記録再生装置１１が録画された広告付加番組を再生するときに、ディスプレイ３４に表示される画面の例について説明する。
【００５７】
まず最初に、ユーザが、操作入力部３８を操作して、録画された広告付加番組の情報の表示を指令すると、ディスプレイ３４には、図３に示す画面９０が表示される。
【００５８】
画面９０には、左側に項目画面９１が表示される。項目画面９１には、項目「すべての番組」、項目「最近録画した番組」、項目「ＣＭ」、項目「チャンネル」、項目「ジャンル」、項目「未視聴の番組」、および項目「削除されそうな番組」が表示される。
【００５９】
項目「すべての番組」は、録画されたすべての広告付加番組のサムネイル画像や番組情報を、広告付加番組ごとに表示させるときに、選択される。項目「最近録画した番組」は、録画された広告付加番組のうち、現在の日時から所定の期間以内に録画された広告付加番組のサムネイル画像や番組情報を、広告付加番組ごとに表示させるときに、選択される。項目「ＣＭ」は、録画された広告付加番組に含まれる広告のサムネイル画像や広告情報を表示させるときに、選択される。項目「チャンネル」は、録画された広告付加番組のサムネイル画像や番組情報をチャンネルごとに表示させるときに、選択される。
【００６０】
項目「ジャンル」は、録画された広告付加番組のサムネイル画像や番組情報を、広告付加番組のジャンルごとに表示させるときに、選択される。項目「未視聴の番組」は、録画された広告付加番組のうち、未視聴の広告付加番組のサムネイル画像や番組情報を、広告付加番組ごとに表示させるときに、選択される。項目「削除されそうな番組」は、録画された広告付加番組のうち、未視聴であって、録画してから所定の期間が経過した広告付加番組のサムネイル画像や番組情報を、広告付加番組ごとに表示させるときに、選択される。
【００６１】
なお、図３の例では、項目画面９１におけるユーザによる選択対象を表すカーソル９１Ａが項目「すべての番組」に配置されている。
【００６２】
この場合、図３に示すように、項目画面９１の右側には、番組情報画面９２が表示される。番組情報画面９２には、録画されたすべての広告付加番組のサムネイル画像と番組情報が表示される。図３の例では、第１乃至第３の広告付加番組が録画されており、第１乃至第３の広告付加番組のサムネイル画像と番組情報が表示される。
【００６３】
具体的には、番組情報画面９２の左上側には、録画された第１の広告付加番組の先頭のサムネイル画像１０１が表示され、その右側には、第１の広告付加番組の番組情報として、番組名「○○語会話」、放送日時「2006年12月5日（火）00:00〜00:25」、および放送チャンネル名「×××テレビ」が表示されている。
【００６４】
なお、本実施の形態において、先頭の画像とは、録画時刻が最も早い画像を指すが、録画時刻が最も遅い、即ち録画時刻が最近である画像を指してもよい。
【００６５】
また、サムネイル画像１０１の下側には、録画された第２の広告付加番組の先頭のサムネイル画像１０２が表示され、その右側には、第２の広告付加番組の番組情報として、番組名「ワールドビジネス」、放送日時「2006年12月4日（月）23:00〜23:58」、および放送チャンネル名「テレビ○○」が表示されている。
【００６６】
さらに、サムネイル画像１０２の下側には、録画された第３の広告付加番組の先頭のサムネイル画像１０３が表示され、その右側には、第３の広告付加番組の番組情報として、番組名「めざしテレビ」、放送日時「2006年12月4日（月）05:25〜08:00」、および放送チャンネル名「××テレビ」が表示されている。
【００６７】
なお、図３の例では、サムネイル画像１０１に、番組情報画面９２におけるユーザによる選択対象を表すカーソル１１１が配置されている。
【００６８】
また、画面９０には、右下側に、メニュー画面を表示させるときに選択されるメニューボタン９３と、トップメニュー画面を表示させるときに選択されるトップメニューボタン９４が表示される。
【００６９】
図３の画面９０において、ユーザが操作入力部３８を操作することにより、カーソル１１１をサムネイル画像１０３に移動させ、右下側に表示されるメニューボタン９３を選択すると、図４に示すように、カーソル１１１がサムネイル画像１０３に配置され、新たにメニュー画面１２１が表示される。
【００７０】
メニュー画面１２１には、メニュー「メニューを閉じる」、メニュー「続きから再生」、メニュー「先頭から再生」、メニュー「ダイジェスト再生」、メニュー「本編のみ再生」、メニュー「ＣＭのみ再生」、メニュー「ＣＭ一覧を表示」、およびメニュー「テロップ一覧を表示」が表示される。
【００７１】
メニュー「メニューを閉じる」は、メニュー画面１２１の表示を停止するときに選択される。メニュー「続きから再生」は、カーソル１１１が配置されたサムネイル画像１０１乃至１０３（図４の例では、サムネイル画像１０３）に対応する広告付加番組データを、前回の再生終了位置から再生するときに、選択される。メニュー「先頭から再生」は、カーソル１１１が配置されたサムネイル画像１０１乃至１０３に対応する広告付加番組データを、先頭から再生するときに、選択される。
【００７２】
メニュー「ダイジェスト再生」は、カーソル１１１が配置されたサムネイル画像１０１乃至１０３に対応する広告付加番組データのうち、見所部分だけをダイジェストとして再生するときに、選択される。メニュー「本編のみ再生」は、カーソル１１１が配置されたサムネイル画像１０１乃至１０３に対応する広告付加番組データのうち、広告データ以外データである番組データを再生するときに、選択される。
【００７３】
メニュー「ＣＭのみ再生」は、カーソル１１１が配置されたサムネイル画像１０１乃至１０３に対応する広告付加番組データのうち、広告データを再生するときに、選択される。メニュー「ＣＭ一覧を表示」は、カーソル１１１が配置されたサムネイル画像１０１乃至１０３に対応する広告付加番組に含まれる広告のサムネイル画像や広告情報を一覧表示するときに、選択される。メニュー「テロップ一覧を表示」は、カーソル１１１が配置されたサムネイル画像１０１乃至１０３に対応する番組データに含まれるテロップのデータに基づいて、テロップを表示させるときに、選択される。
【００７４】
図４の画面９０において、ユーザが操作入力部３８を操作することにより、メニュー画面１２１におけるユーザによる選択対象を表すカーソル１２１Ａをメニュー「ＣＭのみ再生」に配置させると、図４の画面９０は、図５に示す画面１３０に変更される。なお、図５において、図４と同一のものには、同一の符号を付してあり、説明は繰り返しになるので省略する。
【００７５】
図５の画面１３０には、左側に番組情報画面９２が表示され、右側に広告情報画面１３１が表示される。広告情報画面１３１には、カーソル１１１が配置されたサムネイル画像１０３に対応する第３の広告付加番組に含まれる広告のサムネイル画像と広告情報が表示される。図５の例では、第３の広告付加番組に第１乃至第３の広告が含まれており、広告情報画面１３１には、第１乃至第３の広告のサムネイル画像と広告情報が表示される。
【００７６】
具体的には、広告情報画面１３１の左上側には、サムネイル画像１０３に対応する第３の広告付加番組に含まれる第１の広告のサムネイル画像１４１が表示され、その右側には、第１の広告の広告情報のうちの、広告対象名「○×島からの手紙」と広告主名「××エンターテイメントジャパン」が表示されている。
【００７７】
また、サムネイル画像１４１の下側には、第２の広告のサムネイル画像１４２が表示され、その右側には、第２の広告の広告情報のうちの、広告対象名「○×○」、広告主名「土産」、およびタイトル「輝く人あこがれ篇」が表示されている。
【００７８】
さらに、サムネイル画像１４２の下側には、第３の広告のサムネイル画像１４３が表示され、その右側には、第３の広告の広告情報のうちの、広告対象名「DOMA・903i」、広告主名「ドーモ」、およびタイトル「MUSIC篇」が表示されている。
【００７９】
以上のように、広告情報画面１３１には、第３の広告付加番組に含まれる第１乃至第３の広告のサムネイル画像と広告情報が表示されるので、ユーザは、第３の広告付加番組に含まれる第１乃至第３の広告の情報を知ることができる。
【００８０】
図５の画面１３０において、ユーザが操作入力部３８を操作することにより、サムネイル画像１４３に、広告情報画面１３１におけるユーザによる選択対象を表すカーソル１４４を配置させ、その後、右下側に表示されるメニューボタン９３を選択すると、図６に示すように、広告情報画面１３１の右側にメニュー画面１５１が表示される。
【００８１】
図６のメニュー画面１５１には、メニュー「メニューを閉じる」、メニュー「このＣＭから再生」、メニュー「ＣＭ詳細情報を表示」、メニュー「商品のページを開く」、およびメニュー「企業のページを開く」が表示される。
【００８２】
メニュー「メニューを閉じる」は、メニュー画面１５１の表示を停止するときに選択される。メニュー「このＣＭから再生」は、カーソル１４４が配置されたサムネイル画像１４１乃至１４３（図６の例では、サムネイル画像１４３）に対応する広告データの開始位置から、カーソル１１１が配置されたサムネイル画像１０１乃至１０３（図６の例では、サムネイル画像１０３）に対応する広告付加番組データを再生するときに、選択される。
【００８３】
メニュー「ＣＭ詳細情報を表示」は、カーソル１４４が配置されたサムネイル画像１４１乃至１４３の広告情報のすべてを表示させるときに、選択される。メニュー「商品のページを開く」は、広告情報に含まれる広告対象のURLに対応するWEBページを表示させるときに、選択される。メニュー「企業のページを開く」は、広告情報に含まれる広告主のURLに対応するWEBページを表示させるときに、選択される。
【００８４】
図６の画面１３０において、ユーザが、操作入力部３８を操作することにより、メニュー画面１５１におけるユーザによる選択対象を表すカーソル１５１Ａをメニュー「このＣＭから再生」に配置させると、図６の画面１３０は、図７に示す再生画面１６０に変更される。
【００８５】
図７の再生画面１６０には、上部に広告付加番組画面１６１が表示される。広告付加番組画面１６１には、図６においてカーソル１４４が配置されたサムネイル画像１４３に対応する第３の広告の広告データの開始位置から読み出される、カーソル１１１が配置されたサムネイル画像１０３に対応する第３の広告付加番組の広告付加番組データに基づく画像が表示される。
【００８６】
広告付加番組画面１６１の下部には、フィルムロール１６２と時刻バー１６３が表示される。フィルムロール１６２には、第３の広告付加番組の各シーンのサムネイル画像が、再生時刻の早い順に、左側から等間隔で所定の枚数（図７の例では、１１枚）並べて表示される。
【００８７】
なお、フィルムロール１６２の中央には、広告付加番組画面１６１に表示されている画像を含むシーンのサムネイル画像が強調表示される。即ち、図７の例では、広告付加番組画面１６１に表示されている画像を含むシーンの5つ前のシーンのサムネイル画像から、5つ後のシーンのサムネイル画像までがフィルムロール１６２に表示される。
【００８８】
時刻バー１６３の、図中横方向の長さは、第３の広告付加番組の再生時間に対応しており、時刻バー１６３に設けられたつまみ１６３Ａは、広告付加番組画面１６１に表示される画像の、第３の広告付加番組上での再生時刻、即ち第３の広告付加番組上での再生位置に対応している。ユーザは、操作入力部３８を操作して、つまみ１６３Ａを移動させることにより、再生位置を移動させることができる。時刻バー１６３の右隣には、広告付加番組画面１６１に表示される画像の、第３の広告付加番組上での再生時刻（図７の例では、「00:39:51」）が表示される。
【００８９】
以上のように、ユーザは、画面９０において、所望の広告付加番組に対応するサムネイル画像１０１乃至１０３を選択してメニュー「ＣＭのみ再生」を選択し、その結果表示された広告情報画面１３１から所望の広告に対応するサムネイル画像１４１乃至１４３を選択してメニュー「このＣＭから再生」を選択することにより、所望の広告付加番組を、所望の広告から再生することができる。これにより、ユーザは、例えば、所望の広告付加番組を所望のシーンの付近から容易に再生することができる。
【００９０】
即ち、一般的に、広告は、視聴者にインパクトを与えるように製作されているため、ユーザは、広告付加番組を視聴中に表示された広告を覚えていることが多い。このような場合において、ユーザは、広告付加番組を視聴した際に覚えた、所望のシーンの付近の広告に対応するサムネイル画像１４１乃至１４３を選択することにより、所望のシーンの付近から広告付加番組を容易に視聴することができる。
【００９１】
一方、図５の画面１３０において、ユーザが、操作入力部３８を操作することにより、サムネイル画像１４１にカーソル１４４を配置させてメニューボタン９３を選択し、これにより表示されるメニュー画面１５１においてカーソル１５１Ａをメニュー「ＣＭ詳細情報を表示」に配置させた場合、図５の画面１３０は、図８に示す詳細画面１７０に変更される。
【００９２】
図８の詳細画面１７０には、カーソル１４４が配置されたサムネイル画像１４１が左上側に表示され、その右側にサムネイル画像１４１に対応する第１の広告の広告情報のうちの、広告対象名「○×島からの手紙」、広告主名「××エンターテイメントジャパン」などが表示される。
【００９３】
また、詳細画面１７０の下側には、第１の広告の広告情報に含まれる、広告対象のジャンル「エンタメ」とサブジャンル「映画」が表示されるとともに、広告対象の情報としての映画の主な出演者「渡謙  二宮金  井原剛」が表示される。
【００９４】
さらに、詳細画面１７０の下側には、第１の広告の広告情報に含まれる、広告に用いられるものの情報としての広告のBGMのタイトル「○×島からの手紙」およびアーティスト名「カイロ・イーストウッド、マイク・スティーブンス」、並びに、そのBGMが収録されているＣＤ（Compact Disc）のタイトル「「○×島からの手紙」オリジナル・サウンドトラック」、発売日「2006年12月20日（水）」、および品番「VICP-○×○×○」が表示される。
【００９５】
また、詳細画面１７０の一番下側には、「商品のページを開く」ボタン１７１、「企業のページを開く」ボタン１７２、およびOKボタン１７３が表示される。「商品のページを開く」ボタン１７１は、広告情報に含まれる広告対象のURLに対応するWEBページを表示させるときに、操作される。「企業のページを開く」ボタン１７２は、広告情報に含まれる広告主のURLに対応するWEBページを表示させるときに、操作される。OKボタン１７３は、詳細画面１７０の表示を終了するときに、操作される。
【００９６】
次に、図３の項目画面９１において、項目「ＣＭ」がユーザにより選択された場合について説明する。この場合、図９に示す画面１８０が表示される。即ち、項目画面９１の右側に、広告情報画面１８１が表示される。広告情報画面１８１には、録画された広告付加番組に含まれるすべての広告のうちの、各ジャンルの先頭の広告のサムネイル画像と広告情報などが表示される。図９の例では、録画された広告付加番組に第１乃至第３のジャンルの広告が含まれており、広告情報画面１８１には、第１乃至第３のジャンルの先頭の広告のサムネイル画像と広告情報などが表示される。
【００９７】
具体的には、広告情報画面１８１の左上側には、第１のジャンルの先頭の広告のサムネイル画像１９１が表示され、その右側には、第１のジャンルの広告情報に含まれるジャンル「ＣＤ」を表す「ＣＤのＣＭ」、録画された広告付加番組に含まれる第１のジャンルの広告の数「43本」、その43本の広告全体の再生時間「11分45秒」、および、第１のジャンルの先頭の広告の広告情報に含まれる広告対象名「シングル「○×天使」」が表示されている。
【００９８】
また、サムネイル画像１９１の下側には、第２のジャンルの先頭の広告のサムネイル画像１９２が表示され、その右側には、第２のジャンルの広告情報に含まれるジャンル「自動車」を表す「自動車のＣＭ」、録画された広告付加番組に含まれる第２のジャンルの広告の数「10本」、その広告全体の再生時間「3分」、および、第２のジャンルの先頭の広告の広告情報に含まれる広告対象名「○×タイヤ」が表示されている。
【００９９】
さらに、サムネイル画像１９２の下側には、第３のジャンルの先頭の広告のサムネイル画像１９３が表示され、その右側には、第３のジャンルの広告情報に含まれるジャンル「エンタメ」を表す「エンタメのＣＭ」、録画された広告付加番組に含まれる第３のジャンルの広告の数「65本」、その広告全体の再生時間「19分30秒」、および、第３のジャンルの先頭の広告の広告情報に含まれる広告対象名「DVD「○×天使」」が表示されている。
【０１００】
図９の画面１８０において、ユーザが操作入力部３８を操作することにより、サムネイル画像１９２に、広告情報画面１８１におけるユーザによる選択対象を表すカーソル１９４を配置させ、決定の指令を行うと、広告情報画面１８１の代わりに、図１０のジャンル画面２０１が表示される。
【０１０１】
ジャンル画面２０１には、左側に、決定の指令が行われたときにカーソル１９４が配置されているサムネイル画像１９２に対応する第２のジャンルであるジャンル「自動車」に属する、各サブジャンルの先頭の広告のサムネイル画像と広告情報などが表示される。図１０の例では、ジャンル「自動車」に第１と第２のサブジャンルが属しており、ジャンル画面２０１には、第１と第２のサブジャンルの先頭の広告のサムネイル画像と広告情報などが表示される。
【０１０２】
具体的には、ジャンル画面２０１の左上側には、第１のサブジャンルの先頭の広告のサムネイル画像２１１が表示され、その右側には、第１のサブジャンルの広告情報に含まれるサブジャンル「カー用品」を表す「カー用品のＣＭ」、第１のサブジャンルの広告の数「1本」、その広告全体の再生時間「15秒」、および、第１のサブジャンルの先頭の広告の広告情報に含まれる広告対象名「○○タイヤ」が表示される。
【０１０３】
また、サムネイル画像２１１の下側には、第２のサブジャンルの先頭の広告のサムネイル画像２１２が表示され、その右側には、第２のサブジャンルの広告情報に含まれるサブジャンル「車・バイク」を表す「車・バイクのＣＭ」、第２のサブジャンルの広告の数「9本」、その広告全体の再生時間「2分45秒」、および、第２のサブジャンルの先頭の広告の広告情報に含まれる広告対象名「レンガ・アウトバック」が表示される。
【０１０４】
図１０のジャンル画面２０１において、ユーザが操作入力部３８を操作することにより、サムネイル画像２１２に、ジャンル画面２０１におけるユーザによる選択対象を表すカーソル２１３を配置させ、決定の操作を行うと、ジャンル画面２０１が表示された画面１８０は、図１０に示す画面２００に変更される。即ち、画面１８０における項目画面９１の表示が停止され、ジャンル画面２０１の右側に、サブジャンル画面２０２が表示される。
【０１０５】
図１０のサブジャンル画面２０２には、決定の操作が行われたときにカーソル２１３が配置されているサムネイル画像２１２に対応する第２のサブジャンルであるサブジャンル「車・バイク」の９本の広告のサムネイル画像と広告情報が表示される。
【０１０６】
具体的には、サブジャンル画面２０２の左上側には、サブジャンル「車・バイク」の第１の広告のサムネイル画像２２１が表示され、その右側には、その第１の広告の広告情報に含まれる広告対象名「レンガ・アウトバック」、広告主「スター」、およびタイトル「ふたりの足跡篇」が表示される。
【０１０７】
また、サムネイル画像２２１の下側には、サブジャンル「車・バイク」の第２の広告のサムネイル画像２２２が表示され、その右側には、その第２の広告の広告情報に含まれる広告対象名「テラス」、広告主「スター」、およびタイトル「ＲＭ近くなること篇」が表示される。
【０１０８】
さらに、サムネイル画像２２２の下側には、サブジャンル「車・バイク」の第３の広告のサムネイル画像２２３が表示され、その右側には、その第３の広告の広告情報に含まれる広告対象名「セルセ」、広告主「サトウ自動車」、およびタイトル「あたらしい風篇」が表示される。
【０１０９】
また、サムネイル画像２２３の下側には、サブジャンル「車・バイク」の第４の広告のサムネイル画像２１４が表示され、その右側には、その第４の広告の広告情報に含まれる広告対象名「モコモコ」と広告主「日産」が表示される。
【０１１０】
なお、図１０の例では、サブジャンル「車・バイク」に属する９本の広告のうち、サブジャンル画面２０２に表示可能な、先頭から３本の広告のサムネイル画像２２１乃至２２３および広告情報、並びに、その次の１本の広告のサムネイル画像２２４および広告情報の上半分が表示されているが、ユーザが、サブジャンル画面２０２におけるユーザによる選択対象を表すカーソル２２５を、サムネイル画像２２４に移動させることにより、サムネイル画像２２１乃至２２４と広告情報に代えて、サムネイル画像２２４および第５乃至第７の広告のサムネイル画像が表示される。即ち、図１０のサブジャンル画面２０２には、サブジャンル「車・バイク」の９本の広告が、３本ごとに３本半ずつ表示される。
【０１１１】
図１０の画面２００において、ユーザが操作入力部３８を操作することにより、カーソル２２５をサムネイル画像２２１に配置させ、画面２００の右下側に表示されるメニューボタン９３を選択し、これにより表示されたメニュー画面（図示せず）からメニュー「ＣＭ詳細情報を表示」を選択すると、図８の場合と同様に、カーソル２２５が配置されたサムネイル画像２２１に対応する、サブジャンル「車・バイク」の第１の広告の広告情報のすべてが表示される。
【０１１２】
一方、図９において、ユーザが操作入力部３８を操作することにより、カーソル１９４をサムネイル画像１９３に移動させ、決定の指令を行うと、画面１８０の広告情報画面１８１の代わりに、図１１のジャンル画面２４１が表示される。
【０１１３】
図１１の例では、ジャンル画面２４１の左上側には、サムネイル画像１９３に対応する第３のジャンルであるジャンル「エンタメ」に属する第１のサブジャンルの先頭の広告のサムネイル画像２５１が表示され、その右側には、その第１のサブジャンルの広告情報に含まれるサブジャンル「ビデオ・DVD」を表す「ビデオ・DVDのＣＭ」、第１のサブジャンルの広告の数「27本」、その広告全体の再生時間「7分45秒」、および、第１のサブジャンルの広告の広告情報に含まれる広告対象名「DVD「○×天使」/・・・」が表示されている。
【０１１４】
また、サムネイル画像２５１の下側には、ジャンル「エンタメ」に属する第２のサブジャンルの先頭の広告のサムネイル画像２５２が表示され、その右側には、その第２のサブジャンルの広告情報に含まれるサブジャンル「映画」を表す「映画のＣＭ」、第２のサブジャンルに属する広告の数「15本」、その広告全体の再生時間「4分15秒」、および、第２のサブジャンルの広告の広告情報に含まれる広告対象名「○×島からの手紙/劇・・・」が表示されている。
【０１１５】
さらに、サムネイル画像２５２の下側には、ジャンル「エンタメ」に属する第３のサブジャンルの先頭の広告のサムネイル画像２５３が表示され、その右側には、その第３のサブジャンルの広告情報に含まれるサブジャンル「新聞・雑誌」を表す「新聞・雑誌のＣＭ」、第３のサブジャンルに属する広告の数「23本」、その広告全体の再生時間「7分30秒」、および、第３のサブジャンルの広告の広告情報に含まれる広告対象名「でちゃう！/隔月コミ・・・」が表示されている。
【０１１６】
図１１の画面２４０において、ユーザが操作入力部３８を操作することにより、サムネイル画像２５２に、ジャンル画面２４１におけるユーザによる選択対象を表すカーソル２５４を配置させ、画面２４０の右下側のメニューボタン９３を選択すると、ジャンル画面２４１の右側に、図１１に示すメニュー画面２４２が表示される。
【０１１７】
図１１において、メニュー画面２４２には、メニュー「シャッフル再生（映画のＣＭ）」、メニュー「リピート/シャッフル再生（映画のＣＭ）」、メニュー「再生（すべてのＣＭ）」、メニュー「リピート再生（すべてのＣＭ）」、メニュー「シャッフル再生（すべてのＣＭ）」、メニュー「リピート/シャッフル再生（すべてのＣＭ）」、メニュー「一覧表示（映画のＣＭ）」、およびメニュー「企業名で分類」が順に表示される。
【０１１８】
メニュー「シャッフル再生（映画のＣＭ）」は、カーソル２５４が配置されたサムネイル画像２５２に対応するサブジャンル「映画」の広告の広告データ（以下、映画データという）を、シャッフルして再生するときに、選択される。メニュー「リピート/シャッフル再生（映画のＣＭ）」は、映画データを、シャッフルして繰り返し再生するときに、選択される。
【０１１９】
メニュー「再生（すべてのＣＭ）」は、録画された広告付加番組に含まれるすべての広告の広告データを、先頭から順に再生するときに、選択される。メニュー「リピート再生（すべてのＣＭ）」は、録画された広告付加番組に含まれるすべての広告の広告データを、先頭から順に繰り返して再生するときに、選択される。メニュー「シャッフル再生（すべてのＣＭ）」は、録画された広告付加番組に含まれるすべての広告の広告データを、シャッフルして再生するときに、選択される。メニュー「リピート/シャッフル再生（すべてのＣＭ）」は、録画された広告付加番組に含まれるすべての広告の広告データを、シャッフルして繰り返し再生するときに、選択される。
【０１２０】
メニュー「一覧表示（映画のＣＭ）」は、サブジャンル「映画」の広告のサムネイル画像や広告情報を一覧表示させるときに、選択される。メニュー「企業名で分類」は、ジャンル画面２４１に対応するジャンル「エンタメ」の広告を、広告主ごとに分類して表示させるときに、選択される。
【０１２１】
図１１の画面２４０において、ユーザが操作入力部３８を操作することにより、メニュー画面２４２におけるユーザによる選択対象を表すカーソル２４２Ａを項目「企業名で分類」に配置させると、図１１の画面２４０は、図１２に示す画面２６０に変更される。画面２６０には、左側に項目画面２６１が表示され、その右側に企業分類画面２６２が表示される。
【０１２２】
項目画面２６１には、上部に項目「ＣＭ」が表示され、その下部に、録画された広告付加番組に含まれる広告の各ジャンルを表す項目「エンタメのＣＭ」、「お店のＣＭ」、「飲み物のＣＭ」、「家電のＣＭ」、「交通・観光、アミューズメントのＣＭ」、「自動車のＣＭ」、「食べ物のＣＭ」、および「生活用品のＣＭ」が表示されている。いまの場合、図９のジャンル画面２４１に対応するジャンルはジャンル「エンタメ」であるので、項目「エンタメのＣＭ」に、項目画面２６１におけるユーザによる選択対象を表すカーソル２６１Ａが配置されている。
【０１２３】
企業分類画面２６２には、左上側に、ジャンル「エンタメ」の広告のうち、広告主が「21世紀」の先頭の広告のサムネイル画像２７１が表示され、その右側には、その広告の広告情報に含まれる広告主「21世紀」を表す「21世紀のＣＭ」、録画された広告付加番組に含まれるジャンル「エンタメ」の広告のうち広告主が「21世紀」である広告の数「6本」、その6本の広告全体の再生時間「1分30秒」、および、その6本の広告のタイトル「武士の言い分/ビデオ・DVD「プリズム」/・・・」が表示される。
【０１２４】
サムネイル画像２７１の下側に、ジャンル「エンタメ」の広告のうち、広告主が「BBB JAPAN」の先頭の広告のサムネイル画像２７２が表示され、その右側には、その広告の広告情報に含まれる広告主「BBB JAPAN」を表す「BBB JAPANのＣＭ」、録画された広告付加番組に含まれるジャンル「エンタメ」の広告のうち広告主が「BBB JAPAN」である広告の数「2本」、その2本の広告全体の再生時間「30秒」、および、その2本の広告のタイトル「シングル「ひとりぼっち」/「アルバム「ガーリー」」が表示される。
【０１２５】
サムネイル画像２７２の下側に、ジャンル「エンタメ」の広告のうち、広告主が「BB-i」の先頭の広告のサムネイル画像２７３が表示され、その右側には、その広告の広告情報に含まれる広告主「BB-i」を表す「BB-iのＣＭ」、録画された広告付加番組に含まれるジャンル「エンタメ」の広告のうち広告主が「BB-i」である広告の数「1本」、その1本の広告全体の再生時間「15秒」、および、その1本の広告のタイトル「「オールドタイプ」の番組宣伝」が表示される。
【０１２６】
図１２の画面２６０において、ユーザが操作入力部３８を操作することにより、サムネイル画像２７１に、企業分類画面２６２におけるユーザによる選択対象を表すカーソル２７４を配置させ、画面２６０の右下側に表示されるメニューボタン９３を選択すると、図１３に示すように、企業分類画面２６２の右側にメニュー画面２８１が表示される。
【０１２７】
図１３の例では、メニュー画面２８１には、メニュー「メニューを閉じる」、メニュー「再生（21世紀のＣＭ）」、メニュー「リピート再生（21世紀のＣＭ）」、メニュー「シャッフル再生（21世紀のＣＭ）」、メニュー「リピート/シャッフル再生（21世紀のＣＭ）」、メニュー「再生（エンタメのＣＭ）」、メニュー「リピート再生（エンタメのＣＭ）」、メニュー「シャッフル再生（エンタメのＣＭ）」、メニュー「リピート/シャッフル再生（エンタメのＣＭ）」が表示されている。
【０１２８】
メニュー「メニューを閉じる」は、メニュー画面２８１の表示を停止するときに選択される。メニュー「再生（21世紀のＣＭ）」は、録画された広告付加番組に含まれる、カーソル２７４が配置されたサムネイル画像２７１に対応する、ジャンルが「エンタメ」であり、かつ、広告主が「21世紀」である広告の広告データ（以下、エンタメ21世紀データという）を、先頭から順に再生するときに、選択される。メニュー「リピート再生（21世紀のＣＭ）」は、エンタメ21世紀データを、先頭から順に繰り返して再生するときに、選択される。メニュー「シャッフル再生（21世紀のＣＭ）」は、エンタメ21世紀データを、シャッフルして再生するときに、選択される。メニュー「リピート/シャッフル再生（21世紀のＣＭ）」は、エンタメ21世紀データを、シャッフルして繰り返し再生するときに、選択される。
【０１２９】
メニュー「再生（エンタメのＣＭ）」は、録画された広告付加番組に含まれる、ジャンルが「エンタメ」である広告の広告データ(以下、エンタメデータという)を、先頭から順に再生するときに、選択される。メニュー「リピート再生（エンタメのＣＭ）」は、エンタメデータを、先頭から順に繰り返して再生するときに、選択される。メニュー「シャッフル再生（エンタメのＣＭ）」は、エンタメデータを、シャッフルして再生するときに、選択される。メニュー「リピート/シャッフル再生（エンタメのＣＭ）」は、エンタメデータを、シャッフルして繰り返し再生するときに、選択される。
【０１３０】
図１３において、ユーザが操作入力部３８を操作することにより、メニュー画面２８１におけるユーザによる選択対象を表すカーソル２８１Ａが項目「再生（21世紀のＣＭ）」に配置されると、図１３の画面２６０は、図１４に示す再生画面２９０に変更される。再生画面２９０には、上部に広告画面２９１が表示される。広告画面２９１には、図１２においてカーソル２７４が配置されたサムネイル画像２７１に対応するエンタメ21世紀データに基づく画像が表示される。
【０１３１】
広告画面２９１の下部には、フィルムロール２９２と時刻バー２９３が表示される。フィルムロール２９２には、エンタメ21世紀データに対応する各広告のサムネイル画像が、例えば録画時刻の早い順に、左側から等間隔で所定の枚数以内の枚数（図１４の例では、6枚）並べて表示される。なお、フィルムロール２９２の中央には、広告画面２９１に表示されている画像を含む広告のサムネイル画像が強調表示される。
【０１３２】
時刻バー２９３の図中横方向の長さは、エンタメ21世紀データの再生時間に対応しており、時刻バー２９３に設けられたつまみ２９３Ａは、広告画面２９１に表示される画像の、エンタメ21世紀データ上での再生時刻に対応している。ユーザは、操作入力部３８を操作して、つまみ２９３Ａを移動させることにより、再生位置を移動させることができる。時刻バー２９３の右隣には、広告画面２９１に表示される画像の、エンタメ21世紀データ上での再生時刻が表示される。
【０１３３】
以上のように、ユーザは、所望の広告主のサムネイル画像２７１乃至２７３を選択し、メニュー「再生（ユーザにより選択されたサムネイル画像２７１乃至２７３に対応する広告主（以下、選択広告主という）のＣＭ）」を選択することにより、所望の広告主の商品の広告をまとめて視聴することができる。
【０１３４】
また、図１１において、ユーザが、メニュー画面２４２においてカーソル２４２Ａを上部に移動させる場合、図１５に示すように、メニュー画面２４２には、メニュー「メニューを閉じる」、メニュー「再生（映画のＣＭ）」、メニュー「リピート再生（映画のＣＭ）」、メニュー「シャッフル再生（映画のＣＭ）」、メニュー「リピート/シャッフル再生（映画のＣＭ）」、メニュー「再生（すべてのＣＭ）」、メニュー「リピート再生（すべてのＣＭ）」、メニュー「シャッフル再生（すべてのＣＭ）」、およびメニュー「リピート/シャッフル再生（すべてのＣＭ）」が順に表示される。
【０１３５】
即ち、図１５のメニュー画面２４２は、メニュー「一覧表示（映画のＣＭ）」と「企業名で分類」が図１１のメニュー画面２４２から削除され、メニュー「メニューを閉じる」、メニュー「再生（映画のＣＭ）」、およびメニュー「リピート再生（映画のＣＭ）」が追加されたものである。
【０１３６】
メニュー「メニューを閉じる」は、メニュー画面２４２の表示を停止するときに選択される。メニュー「再生（映画のＣＭ）」は、映画データを先頭から順に再生するときに、選択される。メニュー「リピート再生（映画のＣＭ）」は、映画データを先頭から順に繰り返して再生するときに、選択される。
【０１３７】
図１５の画面２４０において、ユーザが、カーソル２４２Ａを移動させ、メニュー「再生（映画のＣＭ）」に配置させると、図１４の場合と同様の再生画面に、映画データに基づく画像などが表示される。
【０１３８】
以上のように、ユーザは、所望のサブジャンルに対応するサムネイル画像２５１乃至２５３を選択し、メニュー「再生（ユーザにより選択されたサムネイル画像２５１乃至２５３に対応するサブジャンル（以下、選択サブジャンルという））のＣＭ」を選択することにより、所望のサブジャンルの広告をまとめて視聴することができる。これにより、例えば、ユーザは、同一のサブジャンルの広告どうしを比較したり、所望のサブジャンルの広告の傾向を把握することができる。
【０１３９】
次に、図１６を参照して、図２の再生処理部７０が広告管理情報を作成する作成処理について説明する。この広告管理情報作成処理は、例えば、広告付加番組データが録画されたとき、開始する。
【０１４０】
ステップＳ１０において、読出部７１は、記録部４０に記録されているすべての広告付加番組データと、対応する番組情報を読み出す。読出部７１は、広告付加番組データを抽出部７２と作成部７５に供給し、番組情報を記録制御部７３に供給する。
【０１４１】
ステップＳ１１において、作成部７５は、読出部７１から供給される広告付加番組データに基づいて広告付加番組サムネイルデータを作成する。作成部７５は、その広告付加番組サムネイルデータを記録制御部７３に供給する。
【０１４２】
ステップＳ１２において、記録制御部７３は、作成部７５から供給される広告付加番組サムネイルデータを、その基となる広告付加番組データに対応付けて記録部４０に記録させる。
【０１４３】
ステップＳ１３において、抽出部７２は、読出部７１から供給される広告付加番組データから、広告データを抽出する。抽出部７２は、抽出した広告データを作成部７５と送信制御部７６に供給する。また、抽出部７２は、抽出した広告データの開始位置と終了位置を表す情報を区間情報として、記録制御部７３に供給する。
【０１４４】
ステップＳ１４において、作成部７５は、抽出部７２から供給される広告データに基づいて、広告サムネイルデータを作成する。作成部７５は、その広告サムネイルデータを記録制御部７３に供給する。
【０１４５】
ステップＳ１５において、送信制御部７６は、抽出部７２から供給される広告データを、通信部３９を介して他の提供サーバに送信する。ステップＳ１６において、受信制御部７７は、ステップＳ１５において送信された広告データに対応して、提供サーバから送信されてくる広告情報を受信する。受信制御部７７は、その広告情報を記録制御部７３に供給する。
【０１４６】
ステップＳ１７において、記録制御部７３は、読出部７１から供給される番組情報、抽出部７２から供給される区間情報、および受信制御部７７から供給される広告情報を対応付けた広告管理情報を作成する。
【０１４７】
ステップＳ１８において、記録制御部７３は、ステップＳ１７で作成した広告管理情報と、ステップＳ１４で作成部７５から供給される広告サムネイル画像データを対応付けて、記録部４０に記録させる。そして、処理は終了する。
【０１４８】
次に、図１７乃至図２０を参照して、図２の再生処理部７０がディスプレイ３４に各種の情報を表示させる表示制御処理について説明する。この表示制御処理は、例えば、ユーザが、図１の操作入力部３８を操作することにより、録画された広告付加番組の情報の表示を指令したとき、開始される。
【０１４９】
ステップＳ３１において、出力制御部７８は、図３の項目画面９１などをディスプレイ３４に表示させる。ステップＳ３２において、出力制御部７８は、操作入力部３８からの操作信号に応じて、ユーザにより項目「すべての番組」が選択されたかどうかを判定する。
【０１５０】
ステップＳ３２において、ユーザにより項目「すべての番組」が選択されたと判定された場合、出力制御部７８は、カーソル９１Ａを項目「すべての番組」に配置させ、ステップＳ３３において、読出部７１は、すべての広告付加番組サムネイルデータと番組情報を記録部４０から読み出し、出力制御部７８に供給する。
【０１５１】
ステップＳ３４において、出力制御部７８は、読出部７１から供給される広告付加番組サムネイルデータと番組情報に基づいて、図３の番組情報画面９２を、項目画面９１などとともにディスプレイ３４に表示させる。その結果、ディスプレイ３４には、図３に示す画面９０が表示される。
【０１５２】
ここで、ユーザは、画面９０に表示されるサムネイル画像１０１乃至１０３のうち、所望の広告付加番組のサムネイル画像に、カーソル１１１を移動させることにより、サムネイル画像を選択する。そして、ユーザが画面９０の右下側に表示されるメニューボタン９３を選択すると、出力制御部７８は、画面９０にメニュー画面１２１（図４）を表示させる。
【０１５３】
ステップＳ３５において、出力制御部７８は、操作入力部３８からの操作信号に応じて、ユーザによりメニュー画面１２１においてメニュー「ＣＭのみ再生」が選択されたかどうか、即ちカーソル１２１Ａのメニュー「ＣＭのみ再生」への移動が指令されたかどうかを判定する。
【０１５４】
ステップＳ３５において、メニュー「ＣＭのみ再生」が選択されたと判定された場合、出力制御部７８は、カーソル１２１Ａをメニュー「ＣＭのみ再生」に配置し、ステップＳ３６において、検索部７４は、カーソル１１１が配置されたサムネイル画像１０１乃至１０３に対応する番組の番組情報に対応する広告情報と、対応する広告サムネイルデータとを検索して読み出し、出力制御部７８に供給する。
【０１５５】
ステップＳ３７において、出力制御部７８は、検索部７４から供給される広告情報とサムネイルデータに基づいて、図５の画面１３０を表示させる。ここで、ユーザは、画面９０に表示されるサムネイル画像１４１乃至１４３のうち、所望の広告付加番組のサムネイル画像に、カーソル１４４を移動させることにより、サムネイル画像を選択する。そして、ユーザが画面１３０の右下側に表示されるメニューボタン９３を選択すると、出力制御部７８は、画面１３０にメニュー画面１５１（図６）を表示させる。
【０１５６】
図１８のステップＳ３８において、出力制御部７８は、操作信号に応じて、ユーザによりメニュー「このＣＭから再生」が選択されたかどうかを判定する。ステップＳ３８において、メニュー[このＣＭから再生]が選択されたと判定された場合、出力制御部７８は、カーソル１５１Ａをメニュー「このＣＭから再生」に配置し、ステップＳ３９において、検索部７４は、カーソル１４４が配置されるサムネイル画像１４１乃至１４３に対応する広告管理情報に含まれる区間情報を検索して読み出し、読出部７１に供給する。
【０１５７】
ステップＳ３９において、読出部７１は、検索部７４から供給される区間情報に基づいて、その区間情報に含まれる開始位置から広告付加番組データを読み出し、出力制御部７８に供給する。
【０１５８】
ステップＳ４１において、読出部７１は、検索部７４から供給される区間情報に基づいて、その区間情報に含まれるイン点の前後の広告付加番組データに対応する広告付加番組サムネイルデータを読み出し、出力制御部７８に供給する。
【０１５９】
ステップＳ４２において、出力制御部７８は、読出部７１から供給される広告付加番組データと広告付加番組サムネイルデータに基づいて、図７の再生画面１６０をディスプレイ３４に表示させる。そして、処理は終了する。
【０１６０】
一方、ステップＳ３２において、ユーザにより項目「すべての番組」が選択され邸内と判定された場合、ステップＳ４３において、出力制御部７８は、操作信号に応じて、項目画面９１において項目「ＣＭ」が選択されたかどうかを判定する。
【０１６１】
ステップＳ４３において、ユーザにより項目「ＣＭ」が選択されたと判定された場合、ステップＳ４４において、再生処理部７０は、広告データを分類して表示させる広告分類表示処理について説明する。この広告分類表示処理の詳細については、図１９と図２０で後述する。
【０１６２】
一方、ステップＳ４３において、項目「ＣＭ」が選択されていないと判定された場合、ステップＳ４５において、出力制御部７８は、操作信号に応じて、ユーザにより、項目画面９１において、項目「すべての番組」と「ＣＭ」の他の項目（図３の例では、項目「チャンネル」、項目「ジャンル」、項目「未視聴の番組」、および項目「削除されそうな番組」が選択されたと判定されたかどうかを判定する。
【０１６３】
ステップＳ４５において、項目「すべての番組」と「ＣＭ」の他の項目が選択されたと判定された場合、出力制御部７８は、その項目にカーソル９１Ａを配置させ、ステップＳ４６において、再生処理部７０は、その項目に対応する処理を行う。例えば、ユーザにより項目「チャンネル」が選択された場合、出力制御部７８は、項目「チャンネル」にカーソル９１Ａを配置させ、検索部７４は、番組情報と、対応する広告付加番組サムネイルデータを、チャンネルごとに１組ずつ読み出し、出力制御部７８に供給する。出力制御部７８は、番組情報と広告付加番組サムネイルデータに基づいて、広告付加番組のサムネイル画像と番組情報を対応付けて一覧表示する。そして、処理は終了する。
【０１６４】
一方、ステップＳ４５において、項目「すべての番組」と「ＣＭ」の他の項目が選択されていないと判定された場合、処理はステップＳ３２に戻り、項目が選択されるまで上述した処理が繰り返される。
【０１６５】
また、ステップＳ３５において、ユーザによりメニュー「ＣＭのみ再生」が選択されていないと判定された場合、ステップＳ４７において、出力制御部７８は、操作信号に応じて、ユーザによりメニュー画面１２１（図４）において、メニュー「ＣＭのみ再生」の他のメニュー（例えば、図４の例の場合、メニュー「メニューを閉じる」、メニュー「続きから再生」、メニュー「先頭から再生」、メニュー「ダイジェスト再生」、メニュー「本編のみ再生」、メニュー「ＣＭ一覧を表示」、およびメニュー「テロップ一覧を表示」）が選択されたかどうかを判定する。
【０１６６】
ステップＳ４７において、メニュー「ＣＭのみ再生」の他のメニューが選択されたと判定された場合、ステップＳ４８において、再生処理部７０は、そのメニューに対応する処理を行う。例えば、ユーザによりメニュー「メニューを閉じる」が選択された場合、出力制御部７８は、メニュー画面１２１の表示を停止する。そして、処理は終了する。
【０１６７】
一方、ステップＳ４７において、メニュー「ＣＭのみ再生」の他のメニューが選択されていないと判定された場合、処理はステップＳ３５に戻り、メニューが選択されるまで、上述した処理が繰り返される。
【０１６８】
また、図１８のステップＳ３８において、ユーザによりメニュー「このＣＭから再生」が選択されていないと判定された場合、ステップＳ４９において、出力制御部７８は、操作信号に応じて、図６のメニュー画面１５１においてメニュー「ＣＭ詳細情報を表示」が選択されたかどうかを判定する。
【０１６９】
ステップＳ４９において、メニュー「ＣＭ詳細情報を表示」が選択されたと判定された場合、ステップＳ５０において、検索部７４は、広告情報画面１３１においてカーソル１４４が配置されているサムネイル画像１４１乃至１４３に対応する広告情報を、記録部４０から検索して読み出し、出力制御部７８に供給する。
【０１７０】
ステップＳ５１において、出力制御部７８は、検索部７４から供給される広告情報に基づいて、図８の詳細画面１７０をディスプレイ３４に表示させる。
【０１７１】
一方、ステップＳ４９において、メニュー「ＣＭ詳細情報を表示」が選択されていないと判定された場合、ステップＳ５２において、出力制御部７８は、操作信号に応じて、図６のメニュー画面１５１においてメニュー「このＣＭから再生」と「ＣＭ詳細情報を表示」の他のメニュー（例えば、図６の例では、メニュー「メニューを閉じる」、メニュー「商品のページを開く」、およびメニュー「企業のページを開く」）が選択されたかどうかを判定する。
【０１７２】
ステップＳ５２において、他のメニューが選択されたと判定された場合、ステップＳ５３において、再生処理部７０は、そのメニューに対応する処理を行い、処理は終了する。また、ステップＳ５２において、他のメニューが選択されていないと判定された場合、処理はステップＳ３８に戻り、メニュー画面１５１においてメニューが選択されるまで、上述した処理が繰り返される。
【０１７３】
次に、図１９と図２０を参照して、図１７のステップＳ４４の広告分類表示制御処理について説明する。
【０１７４】
ステップＳ６１において、検索部７４は、広告情報に基づいて、各ジャンルの先頭の広告の広告サムネイルデータを検索し、記録部４０から読み出す。具体的には、検索部７４は、録画時刻の早い順に、広告の広告管理情報に含まれるジャンルを検索し、ジャンルごとに、そのジャンルが最初に検索された広告管理情報に対応する広告サムネイルデータを記録部４０から読み出す。検索部７４は、読み出した広告サムネイルデータを、出力制御部７８に供給する。
【０１７５】
ここで、ユーザは、広告情報画面１８１に表示されているサムネイル画像１９１乃至１９３のうち、所望のサムネイル画像にカーソル１９４を移動させ、決定の指令を行うことにより、所望のサムネイル画像を選択する。
【０１７６】
ステップＳ６２において、出力制御部７８は、検索部７４から供給される広告サムネイルデータに基づいて、図９の画面１８０を表示させる。ステップＳ６３において、出力制御部７８は、操作信号に応じて、サムネイル画像１９１乃至１９３のいずれかが選択されたかどうかを判定する。
【０１７７】
ステップＳ６２において、サムネイル画像１９１乃至１９３のいずれかが選択されていないと判定された場合、出力制御部７８は、選択されるまで待機する。
【０１７８】
一方、ステップＳ６２において、サムネイル画像１９１乃至１９３のいずれかが選択されたと判定された場合、ステップＳ６４において、検索部７４は、広告管理情報に基づいて、選択されたサムネイル画像１９１乃至１９３に対応するジャンルに属する各サブジャンルの先頭の広告サムネイル画像データを検索して、記録部４０から読み出す。検索部７４は、読み出した広告サムネイル画像データを出力制御部７８に供給する。
【０１７９】
ステップＳ６５において、出力制御部７８は、検索部７４から供給される広告サムネイル画像データに基づいて、図９の画面１８０の広告情報画面１８１の代わりに、図１０のジャンル画面２０１や図１１のジャンル画面２４１を表示させる。
【０１８０】
ここで、ユーザが、例えば、ジャンル画面２４１に表示されるサムネイル画像２５１乃至２５３に、カーソル２５４を移動させることにより選択し、その後、メニューボタン９３を操作すると、出力制御部７８は、図１１に示したメニュー画面２４２を表示させる。
【０１８１】
図２０のステップＳ６６において、出力制御部７８は、操作信号に応じて、メニュー画面２４２においてメニュー「企業名で分類」が選択されたかどうかを判定する。ステップＳ６６において、メニュー「企業名で分類」が選択されたと判定された場合、ステップＳ６７において、検索部７４は、広告管理情報に基づいて、ステップＳ６３で選択されたサムネイル画像１９１乃至１９３に対応するジャンルの広告サムネイルデータのうち、各広告主の先頭の広告サムネイルデータを検索して、読み出す。検索部７４は、読み出した広告サムネイルデータを出力制御部７８に供給する。
【０１８２】
ステップＳ６８において、出力制御部７８は、検索部７４から供給される広告サムネイルデータに基づいて、図１２の画面２６０に表示させる。ここで、ユーザが、画面２６０に表示されるサムネイル画像２７１乃至２７３のいずれかにカーソル２７４を移動させることにより、サムネイル画像２７１乃至２７３のいずれかを選択し、その後、メニューボタン９３を操作すると、出力制御部７８は、画面２６０にメニュー画面２８１（図１３）を表示させる。
【０１８３】
ステップＳ６９において、出力制御部７８は、操作信号に応じて、ユーザによりメニュー画面２８１においてメニュー「再生（選択広告主）のＣＭ）」が選択されたかどうかを判定する。ステップＳ６９において、メニュー「再生（選択広告主のＣＭ）」が選択されたと判定された場合、ステップＳ７０において、検索部７４は、広告管理情報に基づいて、ユーザにより選択されたサムネイル画像２７１乃至２７３に対応する広告主のすべての広告の区間情報を検索し、記録部４０から読み出して読出部７１に供給する。
【０１８４】
ステップＳ７１において、読出部７１は、検索部７４から供給される区間情報に基づいて、ユーザにより選択されたサムネイル画像２７１乃至２７３に対応する広告主のすべての広告の広告データを、先頭から順に読み出して出力制御部７８に供給するとともに、その広告の広告サムネイル画像データを読み出して出力制御部７８に供給する。
【０１８５】
ステップＳ７２において、出力制御部７８は、広告サムネイルデータと広告データに基づいて、図１４の再生画面２９０を表示させる。
【０１８６】
一方、ステップＳ６９において、メニュー「再生（選択広告主のＣＭ）」が選択されていないと判定された場合、ステップＳ７３において、出力制御部７８は、「再生（選択広告主のＣＭ）」の他のメニュー（図１３の例では、メニュー「メニューを閉じる」、メニュー「リピート再生（選択広告主のＣＭ）」、メニュー「シャッフル再生（選択広告主のＣＭ）」、メニュー「リピート/シャッフル再生（選択広告主のＣＭ）」、メニュー「再生（ユーザにより選択されたサムネイル画像２５１乃至２５３に対応するジャンル（以下、選択ジャンルという）のＣＭ）」、メニュー「リピート再生（選択ジャンルのＣＭ）」、メニュー「シャッフル再生（選択ジャンルのＣＭ）」、メニュー「リピート/シャッフル再生（選択ジャンルのＣＭ）」など）が選択されたかどうかを判定する。
【０１８７】
ステップＳ７３において、他のメニューが選択されたと判定された場合、ステップＳ７４において、再生処理部７０は、そのメニューに対応する処理を行い、処理は終了する。一方、ステップＳ７３において、他のメニューが選択されたと判定さていないと判定された場合、処理はステップＳ６９に戻り、メニュー画面２８１においてメニューが選択されるまで上述した処理が繰り返される。
【０１８８】
また、ステップＳ６６において、メニュー「企業名で分類」が選択されていないと判定された場合、ステップＳ７５において、出力制御部７８は、操作信号に応じて、ユーザにより、メニュー画面２４２においてメニュー「再生（選択サブジャンル）のＣＭ）」が選択されたかどうかを判定する。
【０１８９】
ステップＳ７５において、メニュー「再生（選択サブジャンルのＣＭ）」が選択されたと判定された場合、ステップＳ７６において、検索部７４は、選択サブジャンルに対応するすべての広告の区間情報を検索し、記録部４０から読み出して読出部７１に供給する。
【０１９０】
ステップＳ７７において、読出部７１は、検索部７４から供給される区間情報に基づいて、選択サブジャンルに対応するすべての広告の広告データを、先頭から読み出して出力制御部７８に供給するとともに、その広告の広告サムネイルデータを読み出して出力制御部７８に供給する。
【０１９１】
ステップＳ７８において、出力制御部７８は、読出部７１から供給される広告データと広告サムネイルデータに基づいて、図１４と同様の再生画面を表示させ、処理を終了する。
【０１９２】
一方、ステップＳ７５において、メニュー「再生（選択サブジャンルのＣＭ）が選択されていないと判定された場合、ステップＳ７９において、出力制御部７８は、操作信号に応じて、メニュー画面２４２において、メニュー「企業名で分類」と「再生（選択サブジャンルのＣＭ）」の他のメニューが選択されたかどうかを判定する。
【０１９３】
ステップＳ７９において、他のメニューが選択されたと判定された場合、ステップＳ８０において、そのメニューに対応する処理を行い、処理は終了する。また、ステップＳ７５において、他のメニューが選択されていないと判定された場合、処理はステップＳ６６に戻り、メニュー画面２４２においてメニューが選択されるまで、上述した処理が繰り返される。
【０１９４】
なお、上述した説明では、広告データは、番組、広告主、もしくは、ジャンルまたはサブジャンルごとに分類されて表示されたが、出演者、放送日などの、広告情報に含まれる他の情報ごとに分類されて表示されるようにしてもよい。例えば、広告データが、出演者ごとに分類されて表示される場合、ユーザは、好みの歌手やタレントが出演している広告をまとめて視聴することができる。
【０１９５】
また、上述した説明では、フィルムロール１６２には、広告付加番組の各シーンのサムネイル画像が表示されるようにしたが、各シーンのサムネイル画像が所定の間隔で間引かれて表示されるようにしてもよいし、ユーザにより設定された枚数を上限として、その枚数以下のサムネイル画像が表示されるようにしてもよい。また、各シーンのサムネイル画像のうち、ユーザにより予め設定されたもののみが表示されるようにしてもよい。
【０１９６】
本発明は、例えば、ハードディスクレコーダ、DVD（Digital Versatile Disk）レコーダなどの再生機能を備える録画装置、再生機能を備えるパーソナルコンピュータなどに適用することができる。
【０１９７】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１９８】
また、本発明の実施の形態は、上述した実施の形態に限定されるものではなく、本発明の要旨を逸脱しない範囲において種々の変更が可能である。
【図面の簡単な説明】
【０１９９】
【図１】本発明を適用した記録再生装置の一実施の形態の構成例を示すブロック図である。
【図２】再生処理部の機能的構成例を示すブロック図である。
【図３】画面の例を示す図である。
【図４】他の画面の例を示す図である。
【図５】さらに他の画面の例を示す図である。
【図６】さらに他の画面の例を示す図である。
【図７】さらに他の画面の例を示す図である。
【図８】さらに他の画面の例を示す図である。
【図９】さらに他の画面の例を示す図である。
【図１０】さらに他の画面の例を示す図である。
【図１１】さらに他の画面の例を示す図である。
【図１２】さらに他の画面の例を示す図である。
【図１３】さらに他の画面の例を示す図である。
【図１４】さらに他の画面の例を示す図である。
【図１５】さらに他の画面の例を示す図である。
【図１６】作成処理を説明するフローチャートである。
【図１７】表示制御処理を説明するフローチャートである。
【図１８】表示制御処理を説明する他のフローチャートである。
【図１９】広告分類表示制御処理を説明するフローチャートである。
【図２０】広告分類表示制御処理を説明する他のフローチャートである。
【符号の説明】
【０２００】
１１  記録再生装置,  ４０  記録部,  ７０  再生処理部,  ７１  読出部,  ７２  抽出部,  ７３  記録制御部,  ７４  検索部,  ７５  作成部,  ７６  送信制御部,  ７７  受信制御部,  ７８  出力制御部
【図１】
2008172498.tif 000003
【図２】
2008172498.tif 000004
【図３】
2008172498.tif 000005
【図４】
2008172498.tif 000006
【図５】
2008172498.tif 000007
【図６】
2008172498.tif 000008
【図７】
2008172498.tif 000009
【図８】
2008172498.tif 000010
【図９】
2008172498.tif 000011
【図１０】
2008172498.tif 000012
【図１１】
2008172498.tif 000013
【図１２】
2008172498.tif 000014
【図１３】
2008172498.tif 000015
【図１４】
2008172498.tif 000016
【図１５】
2008172498.tif 000017
【図１６】
2008172498.tif 000018
【図１７】
2008172498.tif 000019
【図１８】
2008172498.tif 000020
【図１９】
2008172498.tif 000021
【図２０】
2008172498.tif 000022